(57)【要約】【課題】吸い込み口のパネル端部の吸い込み抵抗が側壁の影響により増大し吸い込み性能を劣化させるたり、通風抵抗が増大し流れの乱れが助長されて、断続的な異音を発生したりする。【解決手段】熱交換器２を内蔵した本体１と、熱交換器２で熱交換された空気を吹き出し口から吹き出す送風ファン３とを備え、本体１の前面で熱交換器２を覆うパネル５を有してパネル５を前方に移動して上部及び下部に吸い込み部１０ａ，１０ｂが設けられ、下部吸い込み部１０ｂを本体１の長手方向両端部７で拡大する構成とすることにより、一般に両端部７の通風抵抗の大きい領域であっても、通風抵抗が緩和され送風性能を向上することができるとともに、両端部７の通風抵抗が大きいがために発生する流れの乱れによる断続的異常音を抑制することができる。【選択図】図２
2009210233.tif 000002
【特許請求の範囲】
【請求項１】
熱交換器を内蔵した本体と、前記熱交換器で熱交換された空気を吹き出し口から吹き出す送風ファンとを備え、前記本体の前面で前記熱交換器を覆うパネルを有して前記パネルを前方に移動して上部及び下部に吸い込み部が設けられ、前記下部からの吸い込み部を本体の長手方向両端部で拡大する構成としたことを特徴とする空気調和機。
【請求項２】
熱交換器を内蔵した本体と、前記熱交換器で熱交換された空気を吹き出し口から吹き出す送風ファンとを備え、前記本体の前面で前記熱交換器を覆うパネルを有して前記パネルを前方に移動して上部及び下部に吸い込み部が設けられ、前記下部からの吸い込み部を本体の長手方向中央部で拡大する構成としたことを特徴とする空気調和機。
【請求項３】
前記パネルの長手方向中央部を凹形状にして、本体の長手方向両端部の吸い込み部を拡大する構成としたことを特徴とする請求項１に記載の空気調和機。
【請求項４】
前記パネルの長手方向中央部を凸形状にして、本体の長手方向中央部の吸い込み部を拡大する構成としたことを特徴とする請求項２に記載の空気調和機。
【請求項５】
前記パネルの下部の吸い込み部から熱交換器が見えないように、内部に仕切り板を設けたことを特徴とする請求項１から４のうちいずれか一項に記載の空気調和機。
【発明の詳細な説明】
【技術分野】
【０００１】
本発明は空気調和機に関するものである。
【背景技術】
【０００２】
従来の、この種の空気調和機は、吸気口と、熱交換器と、前記吸気口より室内の空気を取り入れ、前記熱交換器で熱交換された空気を吹き出し口より吹き出す送風ファンとを備え、前記吸気口については、本体の前面をパネルで覆い、前記パネルの上下部から吸い込めるような形態を有している。あるいは、図７に示すように、前記パネルの可動により、停止時は下部の吸気口を閉じた状態にあり、運転時は下部の吸気口を開いた状態となる（例えば、特許文献１参照）。
【特許文献１】特許第３８９７８０４号公報
【発明の開示】
【発明が解決しようとする課題】
【０００３】
しかしながら、前記従来の空気調和機の構成では、パネル下部の吸入口が長手方向に同じであるため、端部の吸い込みの抵抗が側壁の影響により増大し吸い込み性能を劣化させることになる。さらには、通風抵抗が増大し流れの乱れが助長されて、断続的な異音を発生する場合がある。また、主流である長手方向の中央部からの吸い込みが、十分できない場合には大きな風量性能の向上には至らない。
【０００４】
本発明は、上記従来の課題を解決し、パネル下部の吸入口を長手方向に変化させて、断続的な異音の発生を抑制して、風量性能に優れた空気調和機を提供することを目的とする。
【課題を解決するための手段】
【０００５】
前記従来の課題を解決するために、本発明の空気調和機は、熱交換器を内蔵した本体と、前記熱交換器で熱交換された空気を吹き出し口から吹き出す送風ファンとを備え、前記本体の前面で前記熱交換器を覆うパネルを有して前記パネルを前方に移動して上部及び下部に吸い込み部が設けられ、前記下部からの吸い込み部を本体の長手方向両端部で拡大する構成としたことを特徴とするものである。
【発明の効果】
【０００６】
前記の手段によって、一般に両端部の通風抵抗の大きい領域であっても、通風抵抗が緩和され送風性能を向上することができる。さらに、両端部の通風抵抗が大きいがために発生する流れの乱れによる断続的異常音を抑制することができる。
【発明を実施するための最良の形態】
【０００７】
第１の発明は、熱交換器を内蔵した本体と、前記熱交換器で熱交換された空気を吹き出し口から吹き出す送風ファンとを備え、前記本体の前面で前記熱交換器を覆うパネルを有して前記パネルを前方に移動して上部及び下部に吸い込み部が設けられ、前記下部からの吸い込み部を本体の長手方向両端部で拡大する構成としたものである。例えば、両端部のパネルの下部の位置を、中央部より高くすることにより吸い込み部を拡大させる。これによって、一般に両端部の通風抵抗の大きい領域であっても、通風抵抗が緩和され風量性能が向上する。さらに、両端部の通風抵抗が大きいがために発生する流れの乱れによる断続的異常音を抑制することができる。
【０００８】
第２の発明は、熱交換器を内蔵した本体と、前記熱交換器で熱交換された空気を吹き出
し口から吹き出す送風ファンと、スタビライザとリアガイダとで構成され、前記本体の前面で前記熱交換器を覆うパネルを有して前記パネルを前方に移動して上部及び下部に吸い込み部が設けられ、前記下部からの吸い込み部を本体の長手方向中央部で拡大する構成としたものである。例えば、中央部のパネルの下部の位置を、両端部より高くすることにより吸い込み性能が向上する。これによって、主流となる送風機の中央部において吸い込み抵抗が軽減され、より一層の風量性能の向上を図ることができる。
【０００９】
第３の発明は、第１の発明において、パネルの長手方向中央部を凹形状にして、本体の長手方向両端部の吸い込み部が拡大されるようにする。この構成により、正面から見たパネルの下部の吸込み高さは一定に保たれるために、意匠性を維持することができる。また、一般に両端部の通風抵抗の大きい領域であっても、通風抵抗が緩和され風量性能が向上する。さらに、両端部の通風抵抗が大きいために発生する流れの乱れによる断続的異常音を抑制することができる。
【００１０】
第４の発明は、第２の発明において、パネルの長手方向中央部を凸形状にして、本体の長手方向中央部の吸い込み部が拡大されるようにする。この構成により、正面から見たパネルの下部の吸込み高さは一定に保たれるために、意匠性を維持することができる。これによって、主流となる送風機の中央部において吸い込み抵抗が軽減され、より一層の風量性能の向上を図ることができる。
【００１１】
第５の発明は、第１から第４の発明において、パネルの下部の吸い込み部から熱交換器が見えないように、内部に仕切り板を設けるものである。例えば、水受け皿のツバの高さを高くすることにより、パネル下部の吸込み口から見上げても熱交換器が見えなくするようにする。この構成により、意匠性を向上することができる。
【００１２】
（実施の形態１）
図１は、本発明の第１の実施の形態における空気調和機の断面図であり、図２は、同空気調和機の断面図に沿ったパネルの正面図である。
【００１３】
図１、図２において、空気調和機の本体１は、内部に熱交換器２と送風機３とを備え、本体１の前面から天面にかけて吸い込み口１０と前面下部に吹き出し口１１とを有している。前面の吸い込み口１０の前部には熱交換器２を覆うようにパネル５を備え、空気調和機が運転されるときには図１に示すようにパネル５は前方に移動して、パネル５の上部と下部とにそれぞれ上部吸い込み部１０ａと下部吸い込み部１０ｂとが形成される。空気調和機が運転されるときには、送風機３を運転して吸い込み口１０より室内の空気を取り入れ、熱交換器２で熱交換された空気を吹き出し口１１より吹き出す。
【００１４】
本発明においては、パネル５の下端６を長手方向のパネル中央部８が凸状となる円弧形状として下部吸い込み部１０ｂの高さ位置を、長手方向のパネル端部７の両方の領域で上げるようにする。これによって、一般に両方の端部７の通風抵抗の大きい領域であっても、通風抵抗が緩和され風量性能を向上することができる。さらに、両方の端部７の通風抵抗が大きいがために発生する流れの乱れによる断続的異常音が、前記の手段によって緩和される。
【００１５】
（実施の形態２）
図３は、本発明の第２の実施の形態における空気調和機の断面図に沿ったパネルの正面図である。
【００１６】
図３において、パネル５の下端６を長手方向のパネル中央部８が凹状となる円弧形状として下部吸い込み口１０ｂの高さ位置を、パネル中央部８の領域で上げるようにする。こ
れによって、主流となる送風機３の中央部において吸い込み抵抗が軽減され、より一層の風量性能の向上を図ることができる。
【００１７】
（実施の形態３）
図４は、本発明の第３の実施の形態における空気調和機の断面図に沿ったパネルの下面図である。
【００１８】
図４において、パネル中央部８の下部が本体１側に湾曲する凹形状となっている。これによって、パネル５の下端６は、正面から見て同一高さを確保することができ、意匠性を維持することができる。同時に、一般に両方の端部７の通風抵抗の大きい領域であっても、通風抵抗が緩和されて風量性能が向上する。さらに、両方の端部７の通風抵抗が大きいために発生する流れの乱れによる断続的異常音を抑制することができる。
【００１９】
（実施の形態４）
図５は、本発明の第４の実施の形態における空気調和機の断面図に沿ったパネルの下面図である。
【００２０】
図５において、パネル中央部８の下部が本体１とは反対側に湾曲する凸形状となっている。これによって、パネル５の下端６は、正面から見て同一高さを確保することができ、意匠性を維持することができる。
【００２１】
これによって、主流となる送風機３の中央部において吸い込み抵抗が軽減され、より一層の風量性能の向上を図ることができる。
【００２２】
（実施の形態５）
図６は、本発明の第５の実施の形態における空気調和機の断面図である。
【００２３】
図６において、水受け皿４の前部縦壁部９を上方に延長したものである。このように延長することにより、本体１を下から見上げたときに、パネル５の下部吸い込み口１０ｂから熱交換器２が見えるのを防止することができる。これによって、美観及び意匠性を確保することができる。
【産業上の利用可能性】
【００２４】
以上のように、本発明にかかる空気調和機は、一般に吸い込み口の両端部の通風抵抗の大きい領域であっても、通風抵抗が緩和され送風性能を向上することができる。さらに、両端部の通風抵抗が大きいがために発生する流れの乱れによる断続的異常音を抑制することができるので、前面にパネルを有する空気清浄機や加湿器等の用途にも適用できる。
【図面の簡単な説明】
【００２５】
【図１】本発明の実施の形態１における空気調和機の断面図
【図２】本発明の実施の形態１における空気調和機の断面図に沿ったパネルの正面図
【図３】本発明の実施の形態２における空気調和機の断面図に沿ったパネルの正面図
【図４】本発明の実施の形態３における空気調和機の断面図に沿ったパネルの下面図
【図５】本発明の実施の形態４における空気調和機の断面図に沿ったパネルの下面図
【図６】本発明の実施の形態５における空気調和機の断面図
【図７】従来の空気調和機の断面図
【符号の説明】
【００２６】
１  本体
２  熱交換器
３  送風ファン
４  水受け皿
５  パネル
６  パネル下端
７  パネル端部
８  パネル中央部
９  前部縦壁部
１０  吸い込み口
１０ａ  上部吸い込み部
１０ｂ  下部吸い込み部
１１  吹き出し口
【図１】
2009210233.tif 000003
【図２】
2009210233.tif 000004
【図３】
2009210233.tif 000005
【図４】
2009210233.tif 000006
【図５】
2009210233.tif 000007
【図６】
2009210233.tif 000008
【図７】
2009210233.tif 000009